(57)【要約】  加入者の端末に保存されたマルチメディアデータを自動でアップロードできる通信網でのマルチメディアコンテンツ伝送方法及びシステムがそれぞれ開示されている。本発明による伝送方法は、ａ）端末マルチメディア保存サーバーがマルチメディアデータ伝送命令を通信網を介して端末に伝送する段階；及び、ｂ）上記端末が上記マルチメディアデータ伝送命令を受信する場合、上記マルチメディアデータ伝送命令に応答して、上記端末に保存されたマルチメディアデータを、上記端末マルチメディア保存サーバーにアップロードさせる段階；を含む。
2009524975.tif 000002
【特許請求の範囲】
【請求項１】
ａ）端末マルチメディア保存サーバーがマルチメディアデータ伝送命令を通信網を介して端末に伝送する段階；及び、
ｂ）上記端末が上記マルチメディアデータ伝送命令を受信する場合、上記マルチメディアデータ伝送命令に応答して、上記端末に保存されたマルチメディアデータを、上記端末マルチメディア保存サーバーにアップロードさせる段階；を含むことを特徴とする通信網でのマルチメディアコンテンツ伝送方法。
【請求項２】
上記方法は、
ｃ）上記端末マルチメディア保存サーバーが、現在時間が、上記端末から上記マルチメディアデータの伝送を受けるべき所定のマルチメディアダウンロード時間なのかを判断する段階をさらに含み、
上記端末マルチメディア保存サーバーは、上記段階ｃ）の判断結果により上記段階ａ）を履行することを特徴とする請求項１に記載の通信網でのマルチメディアコンテンツ伝送方法。
【請求項３】
上記所定のマルチメディアダウンロード時間は、上記端末の使用者により上記端末マルチメディア保存サーバーに設定されることを特徴とする請求項２に記載の通信網でのマルチメディアコンテンツ伝送方法。
【請求項４】
上記所定のマルチメディアダウンロード時間は、上記端末の通話時間帯のうち最小通話時間帯に決定されることを特徴とする請求項２に記載の通信網でのマルチメディアコンテンツ伝送方法。
【請求項５】
上記段階ａ）は、
ａ−１）上記端末マルチメディア保存サーバーで上記マルチメディアデータ伝送命令を発生させる段階；
ａ−２）上記端末マルチメディア保存サーバーから上記マルチメディアデータ伝送命令を上記端末に伝送するようＳＭＳＣに要請する段階；及び、
ａ−３）上記要請に応答して、上記ＳＭＳＣで上記マルチメディアデータ伝送命令に基づいてＳＭＳメッセージを発生させ、上記発生したＳＭＳを上記端末に伝送する段階；を含むことを特徴とする請求項１〜４のうち何れか１項に記載の通信網でのマルチメディアコンテンツ伝送方法。
【請求項６】
上記段階ｂ）は、
ｂ−１）上記端末が上記マルチメディアデータ伝送命令を受信する場合、上記マルチメディアデータ伝送命令に応答して、上記端末と上記端末マルチメディア保存サーバーとの間にデータ通信路を確立するために、上記端末が上記端末マルチメディア保存サーバーと通信する段階；及び、
ｂ−２）上記データ通信路が確立される場合、上記端末から上記データ通信路を介して上記マルチメディアデータを上記端末マルチメディア保存サーバーにアップロードさせる段階；を含むことを特徴とする請求項１〜４のうち何れか１項に記載の通信網でのマルチメディアコンテンツ伝送方法。
【請求項７】
上記段階ｂ）は、
ｂ−３）上記端末が上記マルチメディアデータ伝送命令を受信する場合、上記端末は未伝送のマルチメディアデータが存在するかを判断する段階をさらに含み、
上記段階ｂ−３）の判断結果、未伝送のマルチメディアデータが存在する場合は、上記段階ｂ−１）を履行し、上記段階ｂ−２）でアップロードされるマルチメディアデータは上記未伝送のマルチメディアデータであることを特徴とする請求項６に記載の通信網でのマルチメディアコンテンツ伝送方法。
【請求項８】
上記方法は、
ｂ−４）上記段階ｂ）によりマルチメディアデータが上記端末マルチメディア保存サーバーにアップロードされる場合、そのアップロード結果を保存する段階をさらに含むことを特徴とする請求項７に記載の通信網でのマルチメディアコンテンツ伝送方法。
【請求項９】
ａ）端末マルチメディア保存サーバーでマルチメディアデータ伝送命令を発生させる段階；
ｂ）上記端末マルチメディア保存サーバーから上記マルチメディアデータ伝送命令を上記端末に伝送するようＳＭＳＣに要請する段階；
ｃ）上記要請に応答して、上記ＳＭＳＣで上記マルチメディアデータ伝送命令に基づいてＳＭＳメッセージを発生させ、上記発生したＳＭＳを上記端末に伝送する段階；
ｄ）上記端末が上記マルチメディアデータ伝送命令を受信する場合、上記マルチメディアデータ伝送命令に応答して、上記端末と上記端末マルチメディア保存サーバーとの間にデータ通信路を確立するために、上記端末が上記端末マルチメディア保存サーバーと通信する段階；及び、
ｅ）上記データ通信路が確立される場合、上記端末から上記データ通信路を介して上記マルチメディアデータを上記端末マルチメディア保存サーバーにアップロードさせる段階；を含むことを特徴とする通信網でのマルチメディアコンテンツ伝送方法。
【請求項１０】
上記方法は、
ｆ）上記端末マルチメディア保存サーバーが、現在時間が、上記端末から上記マルチメディアデータの伝送を受けるべき所定のマルチメディアダウンロード時間なのかを判断する段階をさらに含み、
上記端末マルチメディア保存サーバーは、上記段階ｆ）の判断結果、上記現在時間が上記所定のマルチメディアダウンロード時間である場合、上記段階ａ）を履行することを特徴とする請求項９に記載の通信網でのマルチメディアコンテンツ伝送方法。
【請求項１１】
上記所定のマルチメディアダウンロード時間は、上記端末の使用者により上記端末マルチメディア保存サーバーに設定されることを特徴とする請求項１０に記載の通信網でのマルチメディアコンテンツ伝送方法。
【請求項１２】
上記所定のマルチメディアダウンロード時間は、上記端末の通話時間帯のうち最小通話時間帯に決定されることを特徴とする請求項１０に記載の通信網でのマルチメディアコンテンツ伝送方法。
【請求項１３】
上記方法は、
ｇ）上記端末が上記マルチメディアデータ伝送命令を受信する場合、上記端末は、上記段階ｄ）を履行する前に、未伝送のマルチメディアデータが存在するかを判断する段階をさらに含み、
上記ｇ）の判断結果、未伝送のマルチメディアデータが存在する場合は、上記段階ｄ）を履行し、上記段階ｅ）によりアップロードされるマルチメディアデータは上記未伝送のマルチメディアデータであることを特徴とする請求項９〜１２のうち何れか１項に記載の通信網でのマルチメディアコンテンツ伝送方法。
【請求項１４】
上記方法は、
ｈ）上記段階ｂ）によりマルチメディアデータが上記端末マルチメディア保存サーバーにアップロードされる場合、上記端末が上記アップロードの結果を保存する段階をさらに含むことを特徴とする請求項１３に記載の通信網でのマルチメディアコンテンツ伝送方法。
【請求項１５】
ａ）端末からのマルチメディアデータのアップロード要請を受信する場合、端末マルチメディア保存サーバーが上記アップロード要請の承認可否を決定し、その決定結果を上記端末に提供する段階；及び、
ｂ）上記端末マルチメディア保存サーバーが上記マルチメディアデータのアップロードを承認する場合、上記端末から、上記端末に保存されたマルチメディアデータを、上記端末マルチメディア保存サーバーにアップロードさせる段階；を含むことを特徴とする通信網でのマルチメディアコンテンツ伝送方法。
【請求項１６】
上記方法は、
ｃ）上記端末が、現在時間が所定のマルチメディアアップロード時間なのかを判断する段階をさらに含み、
上記端末は、上記段階ｃ）の判断結果により上記段階ａ）を履行することを特徴とする請求項１５に記載の通信網でのマルチメディアコンテンツ伝送方法。
【請求項１７】
上記所定のマルチメディアアップロード時間は、上記端末の使用者により上記端末に設定されることを特徴とする請求項１６に記載の通信網でのマルチメディアコンテンツ伝送方法。
【請求項１８】
上記所定のマルチメディアアップロード時間は、上記端末の通話時間帯のうち最小通話時間帯に決定されることを特徴とする請求項１６に記載の通信網でのマルチメディアコンテンツ伝送方法。
【請求項１９】
上記段階ａ）は、
ａ−１）上記端末が上記マルチメディアデータのアップロードを上記端末マルチメディア保存サーバーに要請する段階；及び、
ａ−２）上記段階ａ−１）により上記端末からの上記マルチメディアデータのアップロード要請を受信する場合、上記端末マルチメディア保存サーバーが上記アップロード要請の承認可否を決定し、その決定結果を上記端末に提供する段階；を含むことを特徴とする請求項１５〜１８のうち何れか１項に記載の通信網でのマルチメディアコンテンツ伝送方法。
【請求項２０】
上記方法は、
ｄ）上記端末が、未伝送のマルチメディアデータが存在するかを判断する段階；をさらに含み、
上記ｄ）の判断結果、未伝送のマルチメディアデータが存在する場合は、上記段階ａ）又はｃ）を履行し、上記段階ｂ）でアップロードされるマルチメディアデータは、上記未伝送のマルチメディアデータであることを特徴とする請求項１５〜１８のうち何れか１項に記載の通信網でのマルチメディアコンテンツ伝送方法。
【請求項２１】
上記段階ｂ）は、
ｂ−１）上記段階ａ）の決定結果として、上記端末マルチメディア保存サーバーが上記マルチメディアデータのアップロードを承認する場合、上記端末が、データ通信路の確立のために、上記端末マルチメディア保存サーバーと通信する段階；及び、
ｂ−２）上記段階ｂ−１）により確立されたデータ通信路を介して、上記端末から上記マルチメディアデータを上記端末マルチメディア保存サーバーにアップロードさせる段階；を含むことを特徴とする請求項１５〜１８のうち何れか１項に記載の通信網でのマルチメディアコンテンツ伝送方法。
【請求項２２】
上記方法は、
ｂ−３）上記段階ｂ−２）により上記マルチメディアデータが上記端末マルチメディア保存サーバーにアップロードされる場合、上記端末はそのアップロード結果を保存する段階をさらに含むことを特徴とする請求項２１に記載の通信網でのマルチメディアコンテンツ伝送方法。
【請求項２３】
ａ）端末が、現在時間が所定のマルチメディアアップロード時間なのかを判断する段階；
ｂ）上記段階ａ）の判断結果、上記現在時間が上記所定のマルチメディアアップロード時間である場合は、上記端末が、未伝送のマルチメディアデータが存在するかを判断する段階；
ｃ）上記ｂ）の判断結果、上記未伝送のマルチメディアデータが存在する場合は、上記端末が上記マルチメディアデータのアップロードを上記端末マルチメディア保存サーバーに要請する段階；
ｄ）上記段階ｃ）により上記端末からの上記マルチメディアデータのアップロード要請を受信する場合、上記端末マルチメディア保存サーバーが上記アップロード要請の承認可否を決定し、その決定結果を上記端末に提供する段階；及び、
ｅ）上記端末マルチメディア保存サーバーが上記マルチメディアデータのアップロードを承認する場合、上記端末が上記未伝送のマルチメディアデータを上記端末マルチメディア保存サーバーにアップロードさせる段階；を含むことを特徴とする通信網でのマルチメディアコンテンツ伝送方法。
【請求項２４】
上記所定のマルチメディアアップロード時間は、上記端末の使用者により上記端末に設定されることを特徴とする請求項２３に記載の通信網でのマルチメディアコンテンツ伝送方法。
【請求項２５】
上記所定のマルチメディアアップロード時間は、上記端末の通話時間帯のうち最小通話時間帯に決定されることを特徴とする請求項２３に記載の通信網でのマルチメディアコンテンツ伝送方法。
【請求項２６】
上記段階ｅ）は、
ｅ−１）上記段階ｄ）の決定結果として、上記端末マルチメディア保存サーバーが上記マルチメディアデータのアップロードを承認する場合、上記端末が、データ通信路の確立のために、上記端末マルチメディア保存サーバーと通信する段階；及び、
ｅ−２）上記段階ｅ−１）により確立されたデータ通信路を介して、上記端末から上記マルチメディアデータを上記端末マルチメディア保存サーバーにアップロードさせる段階；を含むことを特徴とする請求項２３〜２５のうち何れか１項に記載の通信網でのマルチメディアコンテンツ伝送方法。
【請求項２７】
上記方法は、
ｅ−３）上記段階ｅ−２）により上記マルチメディアデータが上記端末マルチメディア保存サーバーにアップロードされる場合、上記端末はそのアップロード結果を保存する段階をさらに含むことを特徴とする請求項２６に記載の通信網でのマルチメディアコンテンツ伝送方法。
【請求項２８】
マルチメディアデータ伝送命令を通信網を介して端末に伝送し、上記端末からのマルチメディアデータを受信する場合、上記マルチメディアデータを上記端末に対応するように保存するための端末マルチメディア保存サーバー；及び、
上記マルチメディアデータ伝送命令を受信する場合、上記マルチメディアデータ伝送命令に応答して、上記端末に保存された上記マルチメディアデータを上記端末マルチメディア保存サーバーにアップロードさせるための上記端末；を含むことを特徴とする通信網でのマルチメディアコンテンツ伝送システム。
【請求項２９】
上記端末マルチメディア保存サーバーは、
現在時間が、上記端末から上記マルチメディアデータの伝送を受けるべき所定のマルチメディアダウンロード時間なのかを判断し、判断結果によって上記端末への上記マルチメディアデータ伝送命令の伝送を履行することを特徴とする請求項２８に記載の通信網でのマルチメディアコンテンツ伝送システム。
【請求項３０】
上記所定のマルチメディアダウンロード時間は、上記端末の使用者により上記端末マルチメディア保存サーバーに設定されることを特徴とする請求項２９に記載の通信網でのマルチメディアコンテンツ伝送システム。
【請求項３１】
上記所定のマルチメディアダウンロード時間は、上記端末の通話時間帯のうち最小通話時間帯に決定されることを特徴とする請求項２９に記載の通信網でのマルチメディアコンテンツ伝送システム。
【請求項３２】
上記システムは、
上記端末マルチメディア保存サーバーからの上記マルチメディアデータ伝送命令の伝送要請を受信する場合に、上記マルチメディアデータ伝送命令に基づいてＳＭＳメッセージを発生させ、上記発生したＳＭＳを上記端末に伝送するためのＳＭＳＣをさらに含み、
上記端末マルチメディア保存サーバーは、上記マルチメディアデータ伝送命令の上記端末への伝送のために、上記マルチメディアデータ伝送命令を上記端末に伝送するよう上記ＳＭＳＣに要請することを特徴とする請求項２８〜３１のうち何れか１項に記載の通信網でのマルチメディアコンテンツ伝送システム。
【請求項３３】
上記端末は、
上記マルチメディアデータ伝送命令を受信する場合、上記マルチメディアデータ伝送命令に応答して、上記端末マルチメディア保存サーバーとのデータ通信路の確立のために、上記端末マルチメディア保存サーバーと通信し、上記データ通信路が確立されれば、上記データ通信路を介して上記マルチメディアデータを上記端末マルチメディア保存サーバーにアップロードさせることを特徴とする請求項２８〜３１のうち何れか１項に記載の通信網でのマルチメディアコンテンツ伝送システム。
【請求項３４】
上記端末は、
上記マルチメディアデータ伝送命令を受信する場合、未伝送のマルチメディアデータが存在するかを判断し、判断結果、未伝送のマルチメディアデータが存在する場合は、上記未伝送のマルチメディアデータをアップロードすることを特徴とする請求項３３に記載の通信網でのマルチメディアコンテンツ伝送システム。
【請求項３５】
上記端末は、
上記マルチメディアデータが上記端末マルチメディア保存サーバーにアップロードされることによるアップロード結果を保存することを特徴とする請求項３４に記載の通信網でのマルチメディアコンテンツ伝送システム。
【請求項３６】
マルチメディアデータ伝送命令を発生させ、上記マルチメディアデータ伝送命令を端末に伝送するようＳＭＳＣに要請するための端末マルチメディア保存サーバー；
上記端末マルチメディア保存サーバーからの上記要請に応答して、上記マルチメディアデータ伝送命令に基づいてＳＭＳメッセージを発生させ、上記発生したＳＭＳメッセージを上記端末に伝送するための上記ＳＭＳＣ；及び、
上記マルチメディアデータ伝送命令を含む上記ＳＭＳメッセージを受信する場合、上記マルチメディアデータ伝送命令に従って、上記端末と上記端末マルチメディア保存サーバーとの間にデータ通信路を確立するために、上記端末マルチメディア保存サーバーと通信し、上記データ通信路が確立されれば、上記データ通信路を介して上記マルチメディアデータを上記端末マルチメディア保存サーバーにアップロードさせるための上記端末；を含むことを特徴とする通信網でのマルチメディアコンテンツ伝送システム。
【請求項３７】
上記端末マルチメディア保存サーバーは、現在時間が、上記端末から上記マルチメディアデータの伝送を受けるべき所定のマルチメディアダウンロード時間なのかを判断し、判断結果、上記現在時間が上記所定のマルチメディアダウンロード時間である場合は、上記マルチメディアデータ伝送命令を発生させることを特徴とする請求項３６に記載の通信網でのマルチメディアコンテンツ伝送システム。
【請求項３８】
上記所定のマルチメディアダウンロード時間は、上記端末の使用者により上記端末マルチメディア保存サーバーに設定されることを特徴とする請求項３７に記載の通信網でのマルチメディアコンテンツ伝送システム。
【請求項３９】
上記所定のマルチメディアダウンロード時間は、上記端末の通話時間帯のうち最小通話時間帯に決定されることを特徴とする請求項３７に記載の通信網でのマルチメディアコンテンツ伝送システム。
【請求項４０】
上記端末は、上記マルチメディアデータ伝送命令を受信する場合、未伝送のマルチメディアデータが存在するかを判断し、判断結果、未伝送のマルチメディアデータが存在する場合は、上記未伝送のマルチメディアデータをアップロードすることを特徴とする請求項３６〜３９のうち何れか１項に記載の通信網でのマルチメディアコンテンツ伝送システム。
【請求項４１】
上記端末は、上記マルチメディアデータの上記端末マルチメディア保存サーバーへのアップロード結果を保存することを特徴とする請求項１３に記載の通信網でのマルチメディアコンテンツ伝送システム。
【請求項４２】
端末からのマルチメディアデータのアップロード要請を受信する場合、上記アップロード要請の承認可否を決定して、その決定結果を上記端末に提供し、上記端末からのマルチメディアデータを保存するための端末マルチメディア保存サーバー；及び、
上記決定結果として、上記端末マルチメディア保存サーバーが上記マルチメディアデータのアップロードを承認する場合は、保存されたマルチメディアデータを上記端末マルチメディア保存サーバーにアップロードさせるための上記端末を含むことを特徴とする通信網でのマルチメディアコンテンツ伝送システム。
【請求項４３】
上記端末は、現在時間が所定のマルチメディアアップロード時間なのかを判断し、判断結果、現在時間が上記所定のマルチメディアアップロード時間である場合は、上記端末マルチメディア保存サーバーに上記マルチメディアデータのアップロードを要請することを特徴とする請求項４２に記載の通信網でのマルチメディアコンテンツ伝送システム。
【請求項４４】
上記所定のマルチメディアアップロード時間は、上記端末の使用者により上記端末に設定されることを特徴とする請求項４３に記載の通信網でのマルチメディアコンテンツ伝送システム。
【請求項４５】
上記所定のマルチメディアアップロード時間は、上記端末の通話時間帯のうち最小通話時間帯に決定されることを特徴とする請求項４３に記載の通信網でのマルチメディアコンテンツ伝送システム。
【請求項４６】
上記端末は、未伝送のマルチメディアデータが存在するかを判断し、判断結果、未伝送のマルチメディアデータが存在する場合は、上記未伝送のマルチメディアデータをアップロードすることを特徴とする請求項４２〜４５のうち何れか１項に記載の通信網でのマルチメディアコンテンツ伝送システム。
【請求項４７】
上記端末は、上記決定結果として、上記端末マルチメディア保存サーバーが上記マルチメディアデータのアップロードを承認する場合、上記端末が、データ通信路の確立のために、上記端末マルチメディア保存サーバーと通信し、確立されたデータ通信路を介して上記マルチメディアデータを上記端末マルチメディア保存サーバーにアップロードさせることを特徴とする請求項４２〜４５のうち何れか１項に記載の通信網でのマルチメディアコンテンツ伝送システム。
【請求項４８】
上記端末は、上記マルチメディアデータが上記端末マルチメディア保存サーバーにアップロードされる場合、そのアップロード結果を保存することを特徴とする請求項４７に記載の通信網でのマルチメディアコンテンツ伝送システム。
【請求項４９】
現在時間が所定のマルチメディアアップロード時間なのかを判断し、判断結果、上記現在時間が上記所定のマルチメディアアップロード時間である場合は、未伝送のマルチメディアデータが存在するかを判断し、判断結果、上記未伝送のマルチメディアデータが存在する場合は、マルチメディアデータのアップロードを端末マルチメディア保存サーバーに要請するための端末；及び、
上記端末からの上記マルチメディアデータのアップロード要請を受信する場合、上記アップロード要請の承認可否を決定し、その決定結果を上記端末に提供するための上記端末マルチメディア保存サーバー；を含み、
上記端末は、上記端末マルチメディア保存サーバーが上記マルチメディアデータのアップロードを承認する場合、上記未伝送のマルチメディアデータを上記端末マルチメディア保存サーバーにアップロードさせることを特徴とする通信網でのマルチメディアコンテンツ伝送システム。
【請求項５０】
上記所定のマルチメディアアップロード時間は、上記端末の使用者により上記端末に設定されることを特徴とする請求項４９に記載の通信網でのマルチメディアコンテンツ伝送システム。
【請求項５１】
上記所定のマルチメディアアップロード時間は、上記端末の通話時間帯のうち最小通話時間帯に決定されることを特徴とする請求項５０に記載の通信網でのマルチメディアコンテンツ伝送システム。
【請求項５２】
上記端末は、上記決定結果として、上記端末マルチメディア保存サーバーが上記マルチメディアデータのアップロードを承認する場合、上記マルチメディアデータの上記端末マルチメディア保存サーバーへのアップロードのためのデータ通信路を確立するために、上記端末マルチメディア保存サーバーと通信することを特徴とする請求項４９〜５１のうち何れか１項に記載の通信網でのマルチメディアコンテンツ伝送システム。
【請求項５３】
上記端末は、上記マルチメディアデータの上記端末マルチメディア保存サーバーへのアップロードが完了又は中断される場合、その結果を保存することを特徴とする請求項５２に記載の通信網でのマルチメディアコンテンツ伝送システム。
【発明の詳細な説明】
【技術分野】
【０００１】
本発明は、通信網でのマルチメディアコンテンツ伝送方法及びシステムに関し、特に、加入者の端末に保存されたマルチメディアデータを自動でアップロードできる、通信網でのマルチメディアコンテンツ伝送方法及びシステムに関する。
【背景技術】
【０００２】
携帯用端末機の発達に伴い、大部分の携帯用端末機、例えば、ノートブック、携帯電話又はＰＤＡにはデジタルカメラが装着されて、使用者が場所や時間に関係なく希望の画像、動画像、又は／及び音声を撮影及び／又は録音し、通信網を介してＷＡＰ又はＷＥＢページに載せるのが一般化した。
【０００３】
しかし、個人の携帯用端末機にこのようなマルチメディアデータを保存し、再びこれを自身の個人用コンピュータに保存するか、又は通信網を介して特定サイトのサーバーに載せるためには、個人用コンピュータと連結したり、使用者が直接サイトに保存を要請したりしなければならないといった不便さがあった。
【発明の開示】
【発明が解決しようとする課題】
【０００４】
本発明は、上述した事情を勘案して案出されたものであり、その目的は、使用者が携帯用端末機（以下、‘端末’という）を使用しない間に自動で端末に保存されたマルチメディアデータをアップロードできるようにする、通信網でのマルチメディアコンテンツ伝送方法及びそのシステムを提供することにある。
【課題を解決するための手段】
【０００５】
上記目的を達成するために、本発明の第１観点による通信網でのマルチメディアコンテンツ伝送方法は、ａ）端末マルチメディア保存サーバーがマルチメディアデータ伝送命令を通信網を介して端末に伝送する段階；及び、ｂ）上記端末が上記マルチメディアデータ伝送命令を受信する場合、上記マルチメディアデータ伝送命令に応答して、上記端末に保存されたマルチメディアデータを、上記端末マルチメディア保存サーバーにアップロードさせる段階；を含む。
【０００６】
望ましくは、上記方法は、ｃ）上記端末マルチメディア保存サーバーが、現在時間が、上記端末から上記マルチメディアデータの伝送を受けるべき所定のマルチメディアダウンロード時間なのかを判断する段階をさらに含み、上記端末マルチメディア保存サーバーは、上記段階ｃ）の判断結果により上記段階ａ）を履行する。
【０００７】
望ましくは、上記段階ａ）は、ａ−１）上記端末マルチメディア保存サーバーで上記マルチメディアデータ伝送命令を発生させる段階；ａ−２）上記端末マルチメディア保存サーバーから上記マルチメディアデータ伝送命令を上記端末に伝送するようＳＭＳＣに要請する段階；及び、ａ−３）上記要請に応答して、上記ＳＭＳＣで上記マルチメディアデータ伝送命令に基づいてＳＭＳメッセージを発生させ、上記発生したＳＭＳを上記端末に伝送する段階；を含む。
【０００８】
また、望ましくは、上記段階ｂ）は、ｂ−１）上記端末が上記マルチメディアデータ伝送命令を受信する場合、上記マルチメディアデータ伝送命令に応答して、上記端末と上記端末マルチメディア保存サーバーとの間にデータ通信路を確立するために、上記端末が上記端末マルチメディア保存サーバーと通信する段階；及び、ｂ−２）上記データ通信路が確立される場合、上記端末から上記データ通信路を介して上記マルチメディアデータを上記端末マルチメディア保存サーバーにアップロードさせる段階；を含む。より望ましくは、上記段階ｂ）は、ｂ−３）上記端末が上記マルチメディアデータ伝送命令を受信する場合、上記端末は未伝送のマルチメディアデータが存在するかを判断する段階をさらに含み、上記段階ｂ−３）の判断結果、未伝送のマルチメディアデータが存在する場合は、上記段階ｂ−１）を履行し、上記段階ｂ−２）でアップロードされるマルチメディアデータは上記未伝送のマルチメディアデータである。
【０００９】
また、望ましくは、上記方法は、ｂ−４）上記段階ｂ）によりマルチメディアデータが上記端末マルチメディア保存サーバーにアップロードされる場合、そのアップロード結果を保存する段階をさらに含む。
【００１０】
本発明の第２観点による通信網でのマルチメディアコンテンツ伝送方法は、ａ）端末マルチメディア保存サーバーでマルチメディアデータ伝送命令を発生させる段階；ｂ）上記端末マルチメディア保存サーバーから上記マルチメディアデータ伝送命令を上記端末に伝送するようＳＭＳＣに要請する段階；ｃ）上記要請に応答して、上記ＳＭＳＣで上記マルチメディアデータ伝送命令に基づいてＳＭＳメッセージを発生させ、上記発生したＳＭＳを上記端末に伝送する段階；ｄ）上記端末が上記マルチメディアデータ伝送命令を受信する場合、上記マルチメディアデータ伝送命令に応答して、上記端末と上記端末マルチメディア保存サーバーとの間にデータ通信路を確立するために、上記端末が上記端末マルチメディア保存サーバーと通信する段階；及び、ｅ）上記データ通信路が確立される場合、上記端末から上記データ通信路を介して上記マルチメディアデータを上記端末マルチメディア保存サーバーにアップロードさせる段階；を含む。
【００１１】
望ましくは、上記方法は、ｆ）上記端末マルチメディア保存サーバーが、現在時間が、上記端末から上記マルチメディアデータの伝送を受けるべき所定のマルチメディアダウンロード時間なのかを判断する段階をさらに含み、上記端末マルチメディア保存サーバーは、上記段階ｆ）の判断結果、上記現在時間が上記所定のマルチメディアダウンロード時間である場合、上記段階ａ）を履行する。
【００１２】
また、望ましくは、上記方法は、ｇ）上記端末が上記マルチメディアデータ伝送命令を受信する場合、上記端末は、上記段階ｄ）を履行する前に、未伝送のマルチメディアデータが存在するかを判断する段階をさらに含み、上記ｇ）の判断結果、未伝送のマルチメディアデータが存在する場合は、上記段階ｄ）を履行し、上記段階ｅ）によりアップロードされるマルチメディアデータは上記未伝送のマルチメディアデータであることを特徴とする。
【００１３】
より望ましくは、上記方法は、ｈ）上記段階ｂ）によりマルチメディアデータが上記端末マルチメディア保存サーバーにアップロードされる場合、上記端末が上記アップロードの結果を保存する段階；をさらに含む。
【００１４】
本発明の第３観点による通信網でのマルチメディアコンテンツ伝送方法は、ａ）端末からのマルチメディアデータのアップロード要請を受信する場合、端末マルチメディア保存サーバーで上記アップロード要請の承認可否を決定し、その決定結果を上記端末に提供する段階；及び、ｂ）上記端末マルチメディア保存サーバーが上記マルチメディアデータのアップロードを承認する場合、上記端末から、上記端末に保存されたマルチメディアデータを上記端末マルチメディア保存サーバーにアップロードさせる段階；を含む。
【００１５】
望ましくは、上記方法は、ｃ）上記端末が、現在時間が所定のマルチメディアアップロード時間なのかを判断する段階をさらに含み、上記端末は、上記段階ｃ）の判断結果により上記段階ａ）を履行する。
【００１６】
望ましくは、上記所定のマルチメディアアップロード時間は、上記端末の使用者により上記端末に設定されるか、又は上記端末の通話時間帯のうち最小通話時間帯に決定される。
【００１７】
また、望ましくは、上記段階ａ）は、ａ−１）上記端末が上記マルチメディアデータのアップロードを上記端末マルチメディア保存サーバーに要請する段階；及び、ａ−２）上記段階ａ−１）により上記端末からの上記マルチメディアデータのアップロード要請を受信する場合、上記端末マルチメディア保存サーバーで上記アップロード要請の承認可否を決定し、その決定結果を上記端末に提供する段階；を含む。
【００１８】
また、望ましくは、上記方法は、ｄ）上記端末が、未伝送のマルチメディアデータが存在するかを判断する段階をさらに含み、上記ｄ）の判断結果、未伝送のマルチメディアデータが存在する場合は、上記段階ａ）又はｃ）を履行し、上記段階ｂ）でアップロードされるマルチメディアデータは、上記未伝送のマルチメディアデータであることを特徴とする。
【００１９】
また、望ましくは、上記段階ｂ）は、ｂ−１）上記段階ａ）の決定結果として、上記端末マルチメディア保存サーバーが上記マルチメディアデータのアップロードを承認する場合、上記端末が、データ通信路の確立のために、上記端末マルチメディア保存サーバーと通信する段階；及び、ｂ−２）上記段階ｂ−１）により確立されたデータ通信路を介して、上記端末から上記マルチメディアデータを上記端末マルチメディア保存サーバーにアップロードさせる段階；を含む。
【００２０】
また、望ましくは、上記方法は、ｂ−３）上記段階ｂ−２）により上記マルチメディアデータが上記端末マルチメディア保存サーバーにアップロードされる場合、上記端末はそのアップロード結果を保存する段階をさらに含む。
【００２１】
本発明の第４観点による通信網でのマルチメディアコンテンツ伝送方法は、ａ）端末が、現在時間が所定のマルチメディアアップロード時間なのかを判断する段階；ｂ）上記段階ａ）の判断結果、上記現在時間が上記所定のマルチメディアアップロード時間である場合は、上記端末が、未伝送のマルチメディアデータが存在するかを判断する段階；ｃ）上記ｂ）の判断結果、上記未伝送のマルチメディアデータが存在する場合は、上記端末が上記マルチメディアデータのアップロードを上記端末マルチメディア保存サーバーに要請する段階；ｄ）上記段階ｃ）により上記端末からの上記マルチメディアデータのアップロード要請を受信する場合、上記端末マルチメディア保存サーバーが上記アップロード要請の承認可否を決定し、その決定結果を上記端末に提供する段階；及び、ｅ）上記端末マルチメディア保存サーバーが上記マルチメディアデータのアップロードを承認する場合、上記端末が上記未伝送のマルチメディアデータを上記端末マルチメディア保存サーバーにアップロードさせる段階；を含む。
【００２２】
望ましくは、上記段階ｅ）は、ｅ−１）上記段階ｄ）の決定結果として、上記端末マルチメディア保存サーバーが上記マルチメディアデータのアップロードを承認する場合、上記端末が、データ通信路の確立のために、上記端末マルチメディア保存サーバーと通信する段階；及び、ｅ−２）上記段階ｅ−１）により確立されたデータ通信路を介して、上記端末から上記マルチメディアデータを上記端末マルチメディア保存サーバーにアップロードさせる段階；を含む。
【００２３】
より望ましくは、上記方法は、ｅ−３）上記段階ｅ−２）により上記マルチメディアデータが上記端末マルチメディア保存サーバーにアップロードされる場合、上記端末はそのアップロード結果を保存する段階をさらに含む。
【００２４】
本発明の第５観点による通信網でのマルチメディアコンテンツ伝送システムは、マルチメディアデータ伝送命令を通信網を介して端末に伝送し、上記端末からのマルチメディアデータを受信する場合、上記マルチメディアデータを上記端末に対応するように保存するための端末マルチメディア保存サーバー；及び、上記マルチメディアデータ伝送命令を受信する場合、上記マルチメディアデータ伝送命令に応答して、上記端末に保存された上記マルチメディアデータを上記端末マルチメディア保存サーバーにアップロードさせるための上記端末；を含む。
【００２５】
望ましくは、上記端末マルチメディア保存サーバーは、現在時間が、上記端末から上記マルチメディアデータの伝送を受けるべき所定のマルチメディアダウンロード時間なのかを判断し、判断結果によって上記端末への上記マルチメディアデータ伝送命令の伝送を履行する。より望ましくは、上記所定のマルチメディアダウンロード時間は、上記端末の使用者により上記端末マルチメディア保存サーバーに設定されるか、又は上記端末の通話時間帯のうち最小通話時間帯に決定される。
【００２６】
また、上記システムは、上記端末マルチメディア保存サーバーからの上記マルチメディアデータ伝送命令の伝送要請を受信する場合に、上記マルチメディアデータ伝送命令に基づいてＳＭＳメッセージを発生させ、上記発生したＳＭＳを上記端末に伝送するためのＳＭＳＣをさらに含み、上記端末マルチメディア保存サーバーは、上記マルチメディアデータ伝送命令の上記端末への伝送のために、上記マルチメディアデータ伝送命令を上記端末に伝送するよう上記ＳＭＳＣに要請する。
【００２７】
望ましくは、上記端末は、上記マルチメディアデータ伝送命令を受信する場合、上記マルチメディアデータ伝送命令に応答して、上記端末マルチメディア保存サーバーとのデータ通信路の確立のために、上記端末マルチメディア保存サーバーと通信し、上記データ通信路が確立されれば、上記データ通信路を介して上記マルチメディアデータを上記端末マルチメディア保存サーバーにアップロードさせることを特徴とする。また、上記端末は、上記マルチメディアデータ伝送命令を受信する場合、未伝送のマルチメディアデータが存在するかを判断し、判断結果、未伝送のマルチメディアデータが存在する場合は、上記未伝送のマルチメディアデータをアップロードする。また、上記端末は、上記マルチメディアデータが上記端末マルチメディア保存サーバーにアップロードされることによるアップロード結果を保存することが望ましい。
【００２８】
本発明の第６観点による通信網でのマルチメディアコンテンツ伝送システムは、マルチメディアデータ伝送命令を発生させ、上記マルチメディアデータ伝送命令を端末に伝送するようＳＭＳＣに要請するための端末マルチメディア保存サーバー；上記端末マルチメディア保存サーバーからの上記要請に応答して、上記マルチメディアデータ伝送命令に基づいてＳＭＳメッセージを発生させ、上記発生したＳＭＳメッセージを上記端末に伝送するための上記ＳＭＳＣ；及び、上記マルチメディアデータ伝送命令を含む上記ＳＭＳメッセージを受信する場合、上記マルチメディアデータ伝送命令に従って、上記端末と上記端末マルチメディア保存サーバーとの間にデータ通信路を確立するために、上記端末マルチメディア保存サーバーと通信し、上記データ通信路が確立されれば、上記データ通信路を介して上記マルチメディアデータを上記端末マルチメディア保存サーバーにアップロードさせるための上記端末；を含む。
【００２９】
望ましくは、上記端末は、上記マルチメディアデータ伝送命令を受信する場合、未伝送のマルチメディアデータが存在するかを判断し、判断結果、未伝送のマルチメディアデータが存在する場合は、上記未伝送のマルチメディアデータをアップロードし、上記マルチメディアデータの上記端末マルチメディア保存サーバーにアップロード結果を保存する。
【００３０】
本発明の第７観点による通信網でのマルチメディアコンテンツ伝送システムは、端末からのマルチメディアデータのアップロード要請を受信する場合、上記アップロード要請の承認可否を決定して、その決定結果を上記端末に提供し、上記端末からのマルチメディアデータを保存するための端末マルチメディア保存サーバー；及び、上記決定結果として、上記端末マルチメディア保存サーバーが上記マルチメディアデータのアップロードを承認する場合は、保存されたマルチメディアデータを上記端末マルチメディア保存サーバーにアップロードさせるための上記端末；を含む。
【００３１】
望ましくは、上記端末は、未伝送のマルチメディアデータが存在するかを判断し、判断結果、未伝送のマルチメディアデータが存在する場合は、上記未伝送のマルチメディアデータをアップロードする。
【００３２】
また、望ましくは、上記端末は、上記決定結果として、上記端末マルチメディア保存サーバーが上記マルチメディアデータのアップロードを承認する場合、上記端末が、データ通信路の確立のために、上記端末マルチメディア保存サーバーと通信し、確立されたデータ通信路を介して上記マルチメディアデータを上記端末マルチメディア保存サーバーにアップロードさせ、そのアップロード結果を保存する。
【００３３】
本発明の第８観点による通信網でのマルチメディアコンテンツ伝送システムは、現在時間が所定のマルチメディアアップロード時間なのかを判断し、判断結果、上記現在時間が上記所定のマルチメディアアップロード時間である場合は、未伝送のマルチメディアデータが存在するかを判断し、判断結果、上記未伝送のマルチメディアデータが存在する場合は、マルチメディアデータのアップロードを端末マルチメディア保存サーバーに要請するための端末；及び、上記端末からの上記マルチメディアデータのアップロード要請を受信する場合、上記アップロード要請の承認可否を決定し、その決定結果を上記端末に提供するための上記端末マルチメディア保存サーバー；を含み、上記端末は、上記端末マルチメディア保存サーバーが上記マルチメディアデータのアップロードを承認する場合、上記未伝送のマルチメディアデータを上記端末マルチメディア保存サーバーにアップロードさせることを特徴とする。
【００３４】
望ましくは、上記端末は、上記決定結果として、上記端末マルチメディア保存サーバーが上記マルチメディアデータのアップロードを承認する場合、上記マルチメディアデータの上記端末マルチメディア保存サーバーへのアップロードのためのデータ通信路を確立するために、上記端末マルチメディア保存サーバーと通信する。
【００３５】
より望ましくは、上記端末は、上記マルチメディアデータの上記端末マルチメディア保存サーバーへのアップロードが完了又は中断される場合、その結果を保存する。
【００３６】
以下、添付図面を参照しながら、本発明の望ましい実施例を通して本発明をより詳しく説明する。
【００３７】
図１は、本発明の実施例による通信網を介したマルチメディアデータ伝送システムを示した構成図である。
【実施例１】
【００３８】
図１を参照すれば、本発明の第１実施例による通信網を介したマルチメディアデータ伝送システムは、端末マルチメディア保存サーバー１００及びＳＭＳＣ２００を含む。
【００３９】
上記端末マルチメディア保存サーバー１００は、本発明によるマルチメディアデータ伝送命令を発生させ、上記発生したマルチメディアデータ伝送命令を使用者の端末に伝送するよう上記ＳＭＳＣ２００に要請する。
【００４０】
上記ＳＭＳＣ２００は、上記端末マルチメディア保存サーバー１００からの上記メッセージ伝送要請を受信すれば、上記要請に応答して、上記マルチメディアデータ伝送命令に基づいてＳＭＳメッセージを発生させ、上記発生したＳＭＳメッセージを有線又は無線通信網を介して上記端末３００に伝送する。
【００４１】
上記端末３００は、上記マルチメディアデータ伝送命令を含む上記ＳＭＳメッセージを受信する場合、上記マルチメディアデータ伝送命令に従って、上記端末マルチメディア保存サーバー１００との間にデータ通信路を確立するために、上記端末マルチメディア保存サーバー１００と通信する。上記データ通信路が確立されれば、上記端末３００は、上記確立されたデータ通信路を介して上記マルチメディアデータを上記端末マルチメディア保存サーバー１００にアップロードする。
【００４２】
望ましくは、上記端末マルチメディア保存サーバー１００は、現在時間が、上記端末から上記マルチメディアデータの伝送を受けるべき所定のマルチメディアダウンロード時間なのかを判断する。判断結果、上記現在時間が上記所定のマルチメディアダウンロード時間である場合、上記端末マルチメディア保存サーバー１００は上記マルチメディアデータ伝送命令を発生させる。
【００４３】
実施例によっては、上記所定のマルチメディアダウンロード時間は、上記端末３００の使用者により上記端末マルチメディア保存サーバー１００に設定される。
【００４４】
他の実施例によっては、上記所定のマルチメディアダウンロード時間は、上記端末３００の通話時間帯のうち最小通話時間帯に決定される。例えば、使用者の通話が最も少ない時間帯が午前２時から５時ならば、上記端末３００の上記データダウンロード時間を午前２時から５時までと設定できる。
【００４５】
また、望ましくは、上記端末３００は、上記マルチメディアデータ伝送命令を受信する場合、未伝送のマルチメディアデータが存在するかを判断する。判断結果、未伝送のマルチメディアデータが存在する場合、上記端末３００は上述のような方式によって上記未伝送のマルチメディアデータをアップロードする。
【００４６】
また、望ましくは、上記端末３００は、上記マルチメディアデータの上記端末マルチメディア保存サーバー１００へのアップロード結果を保存し、以後アップロード時にこれを活用する。即ち、アップロードされていないファイルだけをアップロードするのである。
【００４７】
以下、添付図面を参照しながら、本発明の第１実施例によるシステム及びその動作をより詳しく説明する。
【００４８】
図２は、図１に示されたシステムでの、本発明の一実施例による通信網を介したマルチメディアデータ伝送過程の一例を説明するための信号フローチャートである。
【００４９】
図２を参照すれば、まず、上記端末マルチメディア保存サーバー１００は、現在時間が、上記端末３００から上記マルチメディアデータの伝送を受けるべき所定のマルチメディアダウンロード時間（又は時）なのかを判断する（Ｓ２０１）。
【００５０】
上記端末マルチメディア保存サーバー１００は、上記段階Ｓ２０１の判断結果、上記現在時間が上記所定のマルチメディアダウンロード時間である場合、マルチメディアデータ伝送命令を発生させ、上記マルチメディアデータ伝送命令を上記端末に伝送するようＳＭＳＣ２００に要請する（Ｓ２０２）。
【００５１】
上記ＳＭＳＣ２００で上記端末マルチメディア保存サーバー１００から上記マルチメディアデータ伝送命令の伝送要請を受信する場合、上記ＳＭＳＣ２００は、上記要請に従って、上記マルチメディアデータ伝送命令に基づいてＳＭＳメッセージを発生させ、上記発生したＳＭＳメッセージを通信網を介して上記端末３００に伝送する（Ｓ２０３〜Ｓ２０５）。
【００５２】
続いて、上記端末３００で上記ＳＭＳメッセージを受信すれば、上記ＳＭＳメッセージに含まれた上記マルチメディアデータ伝送命令に従って、上記端末３００は、上記端末マルチメディア保存サーバー１００との間にデータ通信路を確立するために、上記端末マルチメディア保存サーバー１００と通信する。即ち、上記端末３００は、上記端末マルチメディア保存サーバー１００に要請し、これに対する上記端末マルチメディア保存サーバー１００の応答によって上記データ通信路を確立する。望ましくは、上記端末３００には、本発明によるマルチメディアデータ伝送のための専用プログラムが設けられている。上記専用プログラムは、上記マルチメディアデータ伝送命令が受信されれば駆動し、本発明によるマルチメディアデータ伝送が完了されれば終了する。また、望ましくは、上記端末３００は、上記マルチメディアデータ伝送命令を受信する場合、未伝送のマルチメディアデータが存在するかを判断し、判断結果、未伝送のマルチメディアデータが存在する場合は上記未伝送のマルチメディアデータを伝送する（Ｓ２０６〜Ｓ２０８）。
【００５３】
上記データ通信路が確立されれば、上記端末３００は、上記データ通信路を介して上記マルチメディアデータを上記端末マルチメディア保存サーバー１００にアップロードさせる。上記マルチメディアデータの上記端末マルチメディア保存サーバー１００へのアップロードが完了すれば、上記端末３００は上記アップロードの結果を保存する（Ｓ２０９〜Ｓ２１２）。
【００５４】
一方、使用者が上記アップロードされたマルチメディアファイルをＷＡＰ又はＷＥＢサーバー４００に要請する場合、上記ＷＡＰ又はＷＥＢサーバー４００は、上記端末マルチメディア保存サーバー１００に、上記使用者が載せたマルチメディアデータの送信を要請し、上記要請に応答して上記端末マルチメディア保存サーバー１００がマルチメディアデータを送信すれば、これを受信した上記ＷＡＰ又はＷＥＢサーバー４００がマルチメディアデータを上記使用者の有線又は無線端末、例えば個人用コンピュータ（図示せず）又は移動端末３００に提供する（Ｓ２１３〜Ｓ２１５）。
【実施例２】
【００５５】
続いて、添付図面を参照しながら、本発明の第２実施例を説明する。
本発明の第２実施例を、上述の図１を参照しながら説明するが、以下の説明から、第２実施例には上述の第１実施例と相異なる構成上の相違点があることを当業者であれば理解するはずである。
【００５６】
図１によれば、本発明の第２実施例による通信網を介したマルチメディアデータ伝送システムは、端末３００及び端末マルチメディア保存サーバー１００を含む。
【００５７】
本発明による端末３００は、現在時間が所定のマルチメディアアップロード時間なのかを判断する。判断結果、上記現在時間が上記所定のマルチメディアアップロード時間である場合、上記端末３００は、上記端末３００に保存されたマルチメディアデータのうち未伝送のマルチメディアデータが存在するかを判断する。判断結果、上記未伝送のマルチメディアデータが存在する場合、上記端末３００はマルチメディアデータのアップロードを上記端末マルチメディア保存サーバー１００に要請する。
【００５８】
上記端末マルチメディア保存サーバー１００は、上記端末３００からの上記マルチメディアデータのアップロード要請を受信する場合、上記アップロード要請の承認可否を決定し、その決定結果を上記端末３００に提供する。
【００５９】
上記端末３００は、上記端末マルチメディア保存サーバー１００が上記マルチメディアデータのアップロードを承認する場合、上記未伝送のマルチメディアデータを上記端末マルチメディア保存サーバー１００にアップロードする。
【００６０】
望ましくは、上記所定のマルチメディアアップロード時間は、上記端末の使用者により上記端末に設定される。より望ましくは、上記所定のマルチメディアアップロード時間は、上記端末の通話時間帯のうち最小通話時間帯に決定される。
【００６１】
また、望ましくは、上記端末３００は、上記決定結果として、上記端末マルチメディア保存サーバー１００が上記マルチメディアデータのアップロードを承認する場合、上記マルチメディアデータの上記端末マルチメディア保存サーバーへのアップロードのためのデータ通信路を確立するために、上記端末マルチメディア保存サーバーと通信する。
【００６２】
また、上記端末３００は、上記マルチメディアデータの上記端末マルチメディア保存サーバー１００へのアップロードが完了又は中断される場合、その結果を保存する。
【００６３】
以下、図３を参照しながら、上述の本発明による通信網を介したマルチメディアデータ伝送システムの動作を説明する。
【００６４】
上記端末３００は、現在時間が所定のマルチメディアアップロード時間なのかを判断する（Ｓ３０１）。
【００６５】
上記段階Ｓ３０１の判断結果、上記現在時間が上記所定のマルチメディアアップロード時間である場合、上記端末３００は未伝送のマルチメディアデータが存在するかをも判断する（Ｓ３０２）。
【００６６】
段階Ｓ３０２の判断結果、上記未伝送のマルチメディアデータが存在する場合、上記端末３００は上記マルチメディアデータのアップロードを上記端末マルチメディア保存サーバー１００に要請する（Ｓ３０３）。
【００６７】
上記端末マルチメディア保存サーバー１００は、上記段階Ｓ３０３により上記端末３００からの上記マルチメディアデータのアップロード要請を受信する場合、上記アップロード要請の承認可否を決定し、その決定結果を上記端末３００に提供する（Ｓ３０４）。
【００６８】
段階Ｓ３０４にて、上記端末マルチメディア保存サーバー１００が上記マルチメディアデータのアップロードを承認する場合、上記端末３００から上記未伝送のマルチメディアデータを上記端末マルチメディア保存サーバー１００にアップロードする（Ｓ３０５及びＳ３０６）。
【００６９】
続いて、上記マルチメディアデータが上記端末マルチメディア保存サーバー１００にアップロードされる場合、上記端末３００はそのアップロード結果を保存する（Ｓ３０７）。
【００７０】
一方、使用者が上記アップロードされたマルチメディアファイルをＷＡＰ又はＷＥＢサーバー４００に要請する場合、上記ＷＡＰ又はＷＥＢサーバー４００は上記端末マルチメディア保存サーバー１００に、上記使用者が載せたマルチメディアデータの送信を要請し、上記要請に応答して上記端末マルチメディア保存サーバー１００がマルチメディアデータを送信すれば、これを受信した上記ＷＡＰ又はＷＥＢサーバー４００がマルチメディアデータを上記使用者の有線又は無線端末、例えば個人用コンピュータ（図示せず）又は移動端末３００に提供する（Ｓ３０８〜Ｓ３１０）。
【００７１】
上述の実施例によると、使用者が保存したマルチメディアデータを、使用者が端末を使用しない時間帯に自動でアップロードすることによって、マルチメディアデータのアップロードに伴う使用者の不便を解消できるようになる。
【００７２】
上述の通り、本発明によれば、使用者が端末を使用しない間に自動で端末に保存されたマルチメディアデータをアップロードできるようにする通信網でのマルチメディアコンテンツ伝送方法及びそのシステムが実現可能になる。
【００７３】
本発明を上記実施例により具体的に説明したが、本発明は、これにより制限されるものではなく、当業者の通常の知識の範囲内でその変形や改良が可能である。
【図面の簡単な説明】
【００７４】
【図１】本発明の実施例による通信網を介したマルチメディアデータ伝送システムを示した構成図である。
【図２】図１に示されたシステムでの、本発明の一実施例による通信網を介したマルチメディアデータ伝送過程の一例を説明するための信号フローチャートである。
【図３】図１に示されたシステムでの、本発明の他の実施例による通信網を介したマルチメディアデータ伝送過程の一例を説明するための信号フローチャートである。
【図１】
2009524975.tif 000003
【図２】
2009524975.tif 000004
【図３】
2009524975.tif 000005
【国際調査報告】
2009524975.tif 000006
2009524975.tif 000007